(57)【要約】      （修正有）【課題】薄く折り畳んで収納スペースを小さくすることができる折り畳み可能な支持部材を提供する。【解決手段】第１部材１０と第２部材２０と第３部材３０とがそれぞれ第１リブ１１、第２リブ２１および第３リブ３１を有する。第２部材２０は、後端側が第１部材１０の先端側に第１部材の平坦面に沿って回転可能でかつ第１部材に対して長さ方向にスライド可能に取り付けられ、第１部材に対し間隙をあけて対向可能に設けられる。第３部材３０は、後端側が第２部材２０の先端側に第２部材の平坦面に沿って回転可能でかつ第２部材に対して長さ方向にスライド可能に取り付けられ、第１部材と第２部材の間の前記間隙内に対向して収納可能に設けられる。第１部材と第２部材と第３部材とは、所定の配置のとき回転を拘束される。【選択図】図１
0003207430.tif 000002
【実用新案登録請求の範囲】
【請求項１】
第１部材と第２部材と第３部材と第１ロック部と第２ロック部とを有し、
前記第１部材と前記第２部材と前記第３部材とはそれぞれ細長い板状であって両面に平坦面を有し、
前記第２部材は、後端側が前記第１部材の先端側に前記第１部材の前記平坦面に沿って回転可能でかつ前記第１部材に対して長さ方向に沿って所定の長さだけスライド可能に取り付けられ、前記第１部材に対し間隙をあけて対向可能に設けられ、
前記第３部材は、後端側が前記第２部材の先端側に前記第２部材の前記平坦面に沿って回転可能でかつ前記第２部材に対して長さ方向に沿って所定の長さだけスライド可能に取り付けられ、前記間隙に配置されて前記第１部材および前記第２部材に対向可能に設けられ、
前記第１ロック部は、前記第１部材と前記第２部材とが直線状に伸びる所定の第１配置のときおよび前記第１部材と前記第２部材とが対向する所定の第２配置のとき、前記第１部材と前記第２部材との回転を拘束する構成を有し、
前記第２ロック部は、前記第２部材と前記第３部材とが直線状に伸びる所定の第３配置のときおよび前記第２部材と前記第３部材とが対向する所定の第４配置のとき、前記第２部材と前記第３部材との回転を拘束する構成を有することを、
特徴とする折り畳み可能な支持部材。
【請求項２】
前記第１部材の先端側および前記第２部材の後端側は一方が長さ方向に沿った第１長溝を有し、他方が前記第１長溝と係合する第１ピンを有し、
前記第２部材の先端側および前記第３部材の後端側は一方が長さ方向に沿った第２長溝を有し、他方が前記第２長溝と係合する第２ピンを有することを、
特徴とする請求項１記載の折り畳み可能な支持部材。
【請求項３】
前記第１ロック部は第１部材側ロック部と第２部材側後端ロック部とを有し、前記第１部材側ロック部は前記第１部材の長さ方向に沿った縁部に前記第２部材の縁部と当接およびスライド可能に突出して設けられ、前記第２部材側後端ロック部は前記第２部材の長さ方向に沿った縁部に前記第１部材の縁部と当接およびスライド可能に突出して設けられ、
前記第２ロック部は第２部材側先端ロック部と第３部材側ロック部とを有し、前記第２部材側先端ロック部は前記第２部材の長さ方向に沿った縁部に前記第３部材の縁部と当接およびスライド可能に突出して設けられ、前記第３部材側ロック部は前記第３部材の長さ方向に沿った縁部に前記第２部材の縁部と当接およびスライド可能に突出して設けられていることを、
特徴とする請求項１または２記載の折り畳み可能な支持部材。
【請求項４】
前記第１部材は後端に取付部を有することを、
特徴とする請求項１、２または３記載の折り畳み可能な支持部材。
【考案の詳細な説明】
【技術分野】
【０００１】
本考案は、折り畳み可能な支持部材に関する。
【背景技術】
【０００２】
従来、折り畳み可能な支持部材として、テーブル板に折り畳み可能に取り付けられ、筒状の第１脚杆の内部に第２脚杆を伸縮可能に挿入したものが開示されている（例えば、特許文献１参照）。
【先行技術文献】
【特許文献】
【０００３】
【特許文献１】特開２００４−１５４１８８号公報
【考案の概要】
【考案が解決しようとする課題】
【０００４】
しかしながら、特許文献１の支持部材は、筒状に重ねて成るため、薄い構造とすることは難しく、収納スペースを要するという課題があった。
【０００５】
本考案は、このような課題に着目してなされたもので、薄く折り畳んで収納スペースを小さくすることができる折り畳み可能な支持部材を提供することを目的とする。
【課題を解決するための手段】
【０００６】
上記目的を達成するために、本考案に係る折り畳み可能な支持部材は、第１部材と第２部材と第３部材と第１ロック部と第２ロック部とを有し、前記第１部材と前記第２部材と前記第３部材とはそれぞれ細長い板状であって両面に平坦面を有し、前記第２部材は、後端側が前記第１部材の先端側に前記第１部材の前記平坦面に沿って回転可能でかつ前記第１部材に対して長さ方向に沿って所定の長さだけスライド可能に取り付けられ、前記第１部材に対し間隙をあけて対向可能に設けられ、前記第３部材は、後端側が前記第２部材の先端側に前記第２部材の前記平坦面に沿って回転可能でかつ前記第２部材に対して長さ方向に沿って所定の長さだけスライド可能に取り付けられ、前記間隙に配置されて前記第１部材および前記第２部材に対向可能に設けられ、前記第１ロック部は、前記第１部材と前記第２部材とが直線状に伸びる所定の第１配置のときおよび前記第１部材と前記第２部材とが対向する所定の第２配置のとき、前記第１部材と前記第２部材との回転を拘束する構成を有し、前記第２ロック部は、前記第２部材と前記第３部材とが直線状に伸びる所定の第３配置のときおよび前記第２部材と前記第３部材とが対向する所定の第４配置のとき、前記第２部材と前記第３部材との回転を拘束する構成を有することを、特徴とする。
【０００７】
本考案に係る折り畳み可能な支持部材は、第１部材と第２部材とを直線状に伸びる所定の第１配置にして第１ロック部で第１部材と第２部材との回転を拘束するとともに、第２部材と第３部材とを直線状に伸びる所定の第３配置にして第２ロック部で第２部材と第３部材との回転を拘束することにより、長い状態でものを支持するために使用することができる。第１部材と第２部材とを対向する所定の第２配置にして第１ロック部で第１部材と第２部材との回転を拘束するとともに、第２部材と第３部材とを対向する所定の第４配置にして第２ロック部で第２部材と第３部材との回転を拘束することにより、薄く折り畳んで収納スペースを小さくすることができる。
【０００８】
本考案に係る折り畳み可能な支持部材において、前記第１部材の先端側および前記第２部材の後端側は一方が長さ方向に沿った第１長溝を有し、他方が前記第１長溝と係合する第１ピンを有し、前記第２部材の先端側および前記第３部材の後端側は一方が長さ方向に沿った第２長溝を有し、他方が前記第２長溝と係合する第２ピンを有することが好ましい。
この場合、第２部材は、後端側が第１部材の先端側に第１部材の平坦面に沿って回転可能でかつ第１部材に対して長さ方向に沿って所定の長さだけスライド可能となる。第３部材は、後端側が第２部材の先端側に第２部材の平坦面に沿って回転可能でかつ第２部材に対して長さ方向に沿って所定の長さだけスライド可能となる。
【０００９】
本考案に係る折り畳み可能な支持部材において、前記第１ロック部は第１部材側ロック部と第２部材側後端ロック部とを有し、前記第１部材側ロック部は前記第１部材の長さ方向に沿った縁部に前記第２部材の縁部と当接およびスライド可能に突出して設けられ、前記第２部材側後端ロック部は前記第２部材の長さ方向に沿った縁部に前記第１部材の縁部と当接およびスライド可能に突出して設けられ、前記第２ロック部は第２部材側先端ロック部と第３部材側ロック部とを有し、前記第２部材側先端ロック部は前記第２部材の長さ方向に沿った縁部に前記第３部材の縁部と当接およびスライド可能に突出して設けられ、前記第３部材側ロック部は前記第３部材の長さ方向に沿った縁部に前記第２部材の縁部と当接およびスライド可能に突出して設けられていることが好ましい。
【００１０】
この場合、第２部材が第１部材に対して長さ方向に沿って所定の長さだけスライド可能で、所定の第１配置のときおよび所定の第２配置のとき、第１部材と第２部材との回転を拘束し、第３部材が第２部材に対して長さ方向に沿って所定の長さだけスライド可能で、所定の第３配置のときおよび所定の第４配置のとき、第２部材と第３部材との回転を拘束することができる。
【００１１】
本考案に係る折り畳み可能な支持部材において、前記第１部材は後端に取付部を有することが好ましい。
この場合、第１部材の後端を各種のものに取り付けて、ものを支持するのに使用することができる。本考案に係る折り畳み可能な支持部材は、ものの収納時または運搬時に折り畳んでものの外面に重ねておくことにより、収納または運搬のじゃまにならず、便利である。
【考案の効果】
【００１２】
本考案によれば、薄く折り畳んで収納スペースを小さくすることができる折り畳み可能な支持部材を提供することができる。
【図面の簡単な説明】
【００１３】
【図１】本考案の実施の形態の折り畳み可能な支持部材を示す分解斜視図である。
【図２】図１の折り畳み可能な支持部材を直線状に伸ばした状態を示す斜視図である。
【図３】図２の折り畳み可能な支持部材を折り畳む状態を示す斜視図である。
【図４】図２の折り畳み可能な支持部材の第３部材を折り畳んだ状態を示す斜視図である。
【図５】図２の折り畳み可能な支持部材を折り畳んだ状態を示す斜視図である。
【図６】図２の折り畳み可能な支持部材の使用例を示す斜視図である。
【考案を実施するための形態】
【００１４】
以下、図面に基づき本考案の実施の形態について説明する。
図１〜図６は、本考案の実施の形態を示している。
図１に示すように、本考案の実施の形態の折り畳み可能な支持部材１は、第１部材１０と第２部材２０と第３部材３０とを有している。第１部材１０と第２部材２０と第３部材３０とは、それぞれ細長い板状であって両面に平坦面を有している。第１部材１０は、第２部材２０より長く、第２部材２０は第３部材３０より長くなっている。第１部材１０の先端側と第２部材２０と第３部材３０とは、同一幅を有している。第１部材１０は長さ方向に沿った縁部の中間部に第１リブ１１を有し、第２部材２０は長さ方向に沿った縁部の中間部に第２リブ２１を有し、第３部材３０は長さ方向に沿った縁部の中間部に第３リブ３１を有している。
【００１５】
第２部材２０は、後端側の平坦面に長さ方向に沿った第１長溝２２を有し、先端側の平坦面に長さ方向に沿った第２長溝２３を有している。第１部材１０は、先端側の平坦面に第１長溝２２と係合する第１ピン１２を有している。第１ピン１２は、先端に雄ネジ部を有し、第１部材１０の平坦面に垂直に設けた雌ネジ穴に螺合している。第３部材３０は、後端側の平坦面に第２長溝２３と係合する第２ピン３２を有している。第２ピン３２は、先端に雄ネジ部を有し、第３部材３０の平坦面に垂直に設けた雌ネジ穴に螺合している。これにより、第２部材２０は、後端側が第１部材１０の先端側に、第１部材１０の平坦面に沿って回転可能でかつ第１部材１０に対して長さ方向に沿って所定の長さだけスライド可能に取り付けられ、第１部材１０に対し間隙２４をあけて対向可能に設けられている。また、第３部材３０は、後端側が第２部材２０の先端側に、第２部材２０の平坦面に沿って回転可能でかつ第２部材２０に対して長さ方向に沿って所定の長さだけスライド可能に取り付けられ、間隙２４（図５参照）に配置されて第１部材１０および第２部材２０に対向可能に設けられている。
【００１６】
第１リブ１１は、第１部材側ロック部１１ａを構成している。第１部材側ロック部１１ａは、第２部材２０の縁部と当接およびスライド可能に平坦面に垂直に突出して設けられている。第２リブ２１は、第２部材側後端ロック部２１ａおよび第２部材側先端ロック部２１ｂを構成している。第２部材側後端ロック部２１ａは、第２部材２０の長さ方向に沿った縁部に第１部材１０の先端側の縁部と当接およびスライド可能に平坦面に垂直に突出して設けられている。第２部材側先端ロック部２１ｂは、第２部材２０の長さ方向に沿った縁部に第３部材３０の後端側の縁部と当接およびスライド可能に平坦面に垂直に突出して設けられている。第２リブ２１は、後端側から先端側にかけて平坦面からの高さが低くなるよう傾斜している。第３リブ３１は、第３部材側ロック部３１ａを構成している。第３部材側ロック部３１ａは、第３部材３０の長さ方向に沿った縁部に第２部材２０の先端側の縁部と当接およびスライド可能に平坦面に垂直に突出して設けられている。
【００１７】
第１部材側ロック部１１ａおよび第２部材側後端ロック部２１ａは、第１ロック部を構成し、第１部材１０と第２部材２０とが直線状に伸び、第１部材側ロック部１１ａが第２部材２０の後端側の縁部と当接するとともに第２部材側後端ロック部２１ａが第１部材１０の先端側の縁部と当接する所定の第１配置のとき、および、第１部材１０と第２部材２０とが対向して第１部材側ロック部１１ａが第２部材２０の縁部と当接するとともに第２部材側後端ロック部２１ａが第１部材１０の先端側の縁部と当接する所定の第２配置のとき、第１部材１０と第２部材２０との回転を拘束するようになっている。
【００１８】
第２部材側先端ロック部２１ｂおよび第３部材側ロック部３１ａは、第２ロック部を構成し、第２部材２０と第３部材３０とが直線状に伸び、第２部材側先端ロック部２１ｂが第３部材３０の後端側の縁部と当接するとともに第３部材側ロック部３１ａが第２部材２０の先端側の縁部と当接する所定の第３配置のとき、および、第２部材２０と第２部材３０とが対向して第２部材側先端ロック部２１ｂが第３部材３０の後端側の縁部と当接するとともに第３部材側ロック部３１ａが第２部材２０の縁部と当接する所定の第４配置のとき、第２部材２０と第３部材３０との回転を拘束するようになっている。
第１部材１０は、後端に取付部１３を有している。取付部１３は、ネジ穴などから成る。第１部材１０は取付部１３で蝶番などを介して各種のものに取り付けることができる。
【００１９】
次に、作用について説明する。
本考案の実施の形態の折り畳み可能な支持部材１は、図２に示すように、第１部材１０と第２部材２０とを直線状に伸びる所定の第１配置にして、第１リブ１１の第１部材側ロック部１１ａおよび第２リブ２１の第２部材側後端ロック部２１ａで第１部材１０と第２部材２０との回転を拘束するとともに、第２部材２０と第３部材３０とを直線状に伸びる所定の第３配置にして、第２リブ２１の第２部材側先端ロック部２１ｂおよび第３部材側ロック部３１ａで第２部材２０と第３部材３０との回転を拘束することにより、伸ばした状態となり、ものを支持するために使用することができる。第１部材１０と第２部材２０、第２部材２０と第３部材３０は、それぞれ回転が拘束されるため、長さ方向の荷重に十分に耐えることができる。
【００２０】
第１部材１０は後端に取付部１３を有するので、取付部１３をものに取り付けて、各種のものを支持するのに使用することができる。折り畳み可能な支持部材１は、ものの収納時または運搬時に折り畳んでものの外面に重ねておくことにより、収納または運搬のじゃまにならず、便利である。折り畳み可能な支持部材１は、折り畳んだとき、第１部材１０の長さまで縮めることができる。
【００２１】
折り畳み可能な支持部材１は、図３に示すように、第１部材１０と第２部材２０と第３部材３０とを一度伸ばしてから、図４に示すように、第１部材１０と第２部材２０とを対向する所定の第２配置にして、第１リブ１１の第１部材側ロック部１１ａおよび第２リブ２１の第２部材側後端ロック部２１ａで第１部材１０と第２部材２０との回転を拘束するとともに、図５に示すように、第２部材２０と第３部材３０とを対向する所定の第４配置にして、第２リブ２１の第２部材側先端ロック部２１ｂおよび第３部材側ロック部３１ａで第２部材２０と第３部材３０との回転を拘束することにより、薄く折り畳んで収納スペースを小さくすることができる。
折り畳み可能な支持部材１は、例えば、図６に示すように、火消し壷兼用炉の火消蓋を開いた状態で支持するために使用することができる。折り畳み可能な支持部材１は、物干し竿のように水平方向に伸縮させて利用してもよい。
【符号の説明】
【００２２】
１  折り畳み可能な支持部材
１０  第１部材
１１  第１リブ
１１ａ  第１部材側ロック部
１２  第１ピン
２０  第２部材
２１  第２リブ
２１ａ  第２部材側後端ロック部
２１ｂ  第２部材側先端ロック部
２２  第１長溝
２３  第２長溝
３０  第３部材
３１  第３リブ
３１ａ  第３部材側ロック部
３２  第２ピン
【図１】
0003207430.tif 000003
【図２】
0003207430.tif 000004
【図３】
0003207430.tif 000005
【図４】
0003207430.tif 000006
【図５】
0003207430.tif 000007
【図６】
0003207430.tif 000008